(57)【要約】【課題】同一周波数帯を使用したそれぞれの異なる複数の通信サービスに係る無線信号を同時に受信し、リアルタイム性、低コスト等で構築できるようにする。【解決手段】本発明は、それぞれ異なる複数の無線通信サービスが同一周波数帯の電波を使用し、各無線通信サービスが使用するチャネルが異なる複数の無線信号を同時に受信する無線装置において、複数の無線通信サービスが使用する周波数に基づいて複数の受信信号のそれぞれを抽出する複数の無線手段と、各無線手段のそれぞれが抽出した各受信信号の受信強度を検出する受信強度検出手段と、受信強度検出手段の検出結果に基づいて、複数の無線手段のそれぞれが抽出した同一信号の受信強度を比較し、受信強度が最も大きい信号を各受信信号毎に選択する信号選択手段と、選択された各受信信号を復調処理する復調処理手段とを備える。【選択図】      図１
2007104043.tif 000002
【特許請求の範囲】
【請求項１】
それぞれ異なる複数の無線通信サービスが同一周波数帯の電波を使用して提供するものであり、上記各無線通信サービスが使用するチャネルが異なる複数の無線信号を同時に受信する無線装置において、
上記周波数帯の電波を捕捉し、上記複数の無線通信サービスが使用する周波数に基づいて上記複数の受信信号のそれぞれを抽出する複数の無線手段と、
上記各無線手段のそれぞれが抽出した上記各受信信号の受信強度を検出する受信強度検出手段と、
上記受信強度検出手段の検出結果に基づいて、上記複数の無線手段のそれぞれが抽出した同一信号の受信強度を比較し、受信強度が最も大きい信号を上記各受信信号毎に選択する信号選択手段と、
上記信号選択手段により選択された上記各受信信号を復調処理する復調処理手段と
を備えることを特徴とする無線装置。
【請求項２】
上記複数の無線手段のそれぞれが共有のローカル部を有し、上記ローカル部からのローカル信号を用いて上記各無線信号を中間周波数帯の各中間周波数信号に変換することを特徴とする請求項１に記載の無線装置。
【発明の詳細な説明】
【技術分野】
【０００１】
本発明は、無線装置に関し、例えば、同一周波数帯を使用して、それぞれ異なる無線通信サービスの提供を同時に受けることができる無線機に適用し得る。
【背景技術】
【０００２】
近年、無線通信システム技術の発展に伴い、例えば携帯電話機や車載無線通信装置等を用いて、様々な無線通信サービスの提供を受けることができるが、（１）１又は複数の無線通信サービスを通信回線から途絶えることなく安定的な提供を受けることができ、かつ、同時に複数の無線通信サービスの提供を受けること、（２）複数の無線通信サービスを受ける場合でも１つの無線システムで受けることが望まれている。
【０００３】
これに対して、従来は、図２及び３や特許文献１に示すような無線装置の構築が提案されている。
【０００４】
図２に示す無線装置は、それぞれ異なる周波数帯を用いて複数の無線通信サービスを提供する複数の無線システムに対応可能な無線装置であり、無線システム毎に独立した回路構成を有するものである。
【０００５】
また、図３に示す無線装置は、同一周波数帯を用いて複数の無線通信サービス（アプリケーションサービス）を提供する無線システムに対応可能な無線装置であり、必要に応じて周波数を選定する構成が必要である（特許文献１参照）。
【０００６】
ここで、このような無線システムの例として、例えば、ＥＴＣ（Electronic  Toll  Collection：自動料金収受）システム等で採用されている５．８ＧＨｚ帯の周波数帯を使用するＤＳＲＣ（Dedicated  Short  Range  Communication：専用狭帯域通信）システムがあり、例えば、複数のアプリケーションが各々専用エリアで７チャンネルの周波数のうちどれか１つのチャネルを使用して、通信サービスを行なうこととしている。
【０００７】
そのため、これに対応する無線装置は、各エリアでどの周波数が使用されているかが不明であるため、例えば図４に示すような周波数選定プロセスを実行する必要があった。なお、図４の周波数選定の実行プロセスは、あらかじめ設定した優先順位の高い周波数を順に選定していく方法である。
【０００８】
【特許文献１】特開２００４−２４６６８７号公報
【発明の開示】
【発明が解決しようとする課題】
【０００９】
しかしながら、複数の無線通信サービスの提供を受けるために、図２のような無線装置を構築すると、それぞれ独立の無線装置が必要であるから、ユーザにとっては、それらの取り付けに要する費用が高くなり、例えばＥＴＣサービスも含めた種々の無線通信サービスの普及の妨げにもなるおそれがある。
【００１０】
また、移動通信システムを想定すれば、マルチパス伝搬等によるフェージング対策としてダイバーシチなどを用いることが予想されるため、アンテナ及び無線部の追加が必要であり、更なる装置の高価格化、小型化への弊害、車に実装される場合ではアンテナ設置箇所の検討が必要となってくる。
【００１１】
また、図３に示すような無線装置を構築すると、装置構成の簡素化が期待できるが、例えば図４のような周波数選定プロセスが必要であるため、リアルタイム性が損なわれる。そのため、例えば安全支援型のサービスを提供する車々間通信システムに提供した場合、瞬時にユーザ間でデータ転送を行なう必要があるため採用が困難である。
【００１２】
そのため、同一周波数帯を使用したそれぞれの異なる複数の通信サービスに係る無線信号を同時に受信することができるものであり、リアルタイムに対応でき、かつ小型化及び低コストで構築可能な無線装置が求められている。
【課題を解決するための手段】
【００１３】
かかる課題を解決するために、第１の本発明の無線装置は、それぞれ異なる複数の無線通信サービスが同一周波数帯の電波を使用して提供するものであり、各無線通信サービスが使用するチャネルが異なる複数の無線信号を同時に受信する無線装置において、（１）周波数帯の電波を捕捉し、複数の無線通信サービスが使用する周波数に基づいて複数の受信信号のそれぞれを抽出する複数の無線手段と、（２）各無線手段のそれぞれが抽出した各受信信号の受信強度を検出する受信強度検出手段と、（３）受信強度検出手段の検出結果に基づいて、複数の無線手段のそれぞれが抽出した同一信号の受信強度を比較し、受信強度が最も大きい信号を各受信信号毎に選択する信号選択手段と、（４）信号選択手段により選択された各受信信号を復調処理する復調処理手段とを備えることを特徴とする。
【発明の効果】
【００１４】
本発明によれば、同一周波数帯を使用したそれぞれの異なる複数の通信サービスに係る無線信号を同時に受信することができるものであり、リアルタイムに対応でき、かつ小型化及び低コストで構築することができる。
【発明を実施するための最良の形態】
【００１５】
（Ａ）第１の実施形態
以下、本発明の無線装置の第１の実施形態を図面を参照して説明する。
【００１６】
本実施形態では、同一周波数帯を使用して、それぞれ異なる２種類の無線通信サービスの提供を受ける無線機に搭載される無線システムに、本発明の無線装置を適用した場合を示す。
【００１７】
（Ａ−１）第１の実施形態の構成
図１は、本実施形態の無線装置の内部構成を示すブロック図である。図１に示すように、本実施形態の無線装置５００Ａは、２つの無線システム１００Ａ及び２００Ａと、ＭＡＣ部３００、ＣＰＵ部４００を少なくとも備える。
【００１８】
また、各無線システム１００Ａ及び２００Ａは、アンテナ部１０１及び２０１、無線部１０２及び２０２、スイッチ部（ＳＷ）１０３及び２０３、中間周波数信号／ベースバンド変換（ＩＦ／ＢＢ）部１０４及び２０４を有する。
【００１９】
アンテナ部１０１及び２０１は、到来した電波を捕捉し、その電波信号を無線部１０２及び２０２に与えるものである。
【００２０】
無線部１０２及び２０２は、アンテナ部１０１及び２０１から電波信号を受け取り、周波数をシフトして中間周波数（ＩＦ）信号に変換し、その変換した中間周波数信号を増幅するものである。
【００２１】
また、無線部１０２及び２０２は、無線通信サービスで使用する周波数に基づき、中間周波数信号を所定の帯域フィルタにかけて２個の中間周波数信号に分離し、分離した２個の中間周波数信号をスイッチ部（ＳＷ）１０３及び２０３の双方に与えるものである。
【００２２】
なお、無線部１０２及び２０２は、図１に図示しないが、受信した電波の受信強度を検出・測定する受信強度検出部を有しており、受信強度検出部が検出した受信強度は後述するＭＡＣ部３００に与えられる。
【００２３】
スイッチ部（ＳＷ）１０３及び２０３は、接続する無線部１０２及び２０２のそれぞれから、２個の中間周波数信号を受け取ると共に、ＭＡＣ部３００からアンテナ選定切替用制御信号を受け取り、そのアンテナ選定切替用制御信号に従った信号経路にスイッチを切り替えて、受け取ったいずれかの中間周波数信号をＩＦ／ＢＢ部１０４及び２０４に与えるものである。
【００２４】
ＩＦ／ＢＢ部１０４及び２０４は、スイッチ部（ＳＷ）１０３及び２０３を介して中間周波数信号を受け取り、その中間周波数信号を増幅し、所定の復調処理を施してベースバンド信号に変換するものである。また、ＩＦ／ＢＢ部１０４及び２０４は、変換したベースバンド信号をＭＡＣ部３００に与えるものである。
【００２５】
ここで、ＩＦ／ＢＢ部１０４及び２０４は、１又は複数の復調方式を施すことができる。例えば、ＥＴＣサービス（ＤＳＲＣ路車間通信システム）と車々間通信システムとのサービスを受ける場合、ＤＳＲＣシステムでは一般にＡＳＫ方式が採用され、車々間通信システムでは一般にＱＰＳＫ方式が採用されており、本実施形態のＩＦ／ＢＢ部１０４及び２０４は、これらの変調方式に対する復調方式を施すことができる。
【００２６】
ＭＡＣ部３００は、接続するＩＦ／ＢＢ部１０４及び２０４から受け取った信号に基づいて通信制御を行なう通信制御部である。また、ＭＡＣ部３００は、無線部１０２及び２０２（例えば、図示しない受信強度検出部）から受け取った受信電波の受信強度情報に基づくアンテナ選定切替用制御信号を作成し、そのアンテナ選定切替用制御信号をスイッチ部（ＳＷ）１０４及び２０４に与えるものである。
【００２７】
ＣＰＵ部４００は、ＩＦ／ＢＢ部１０４及び２０４により復調されたベースバンド信号に基づいて所定の無線通信サービスを実現するアプリケーションを実行するものである。
【００２８】
（Ａ−２）第１の実施形態の動作
次に、本実施形態の無線装置５００Ａの動作を説明する。なお、以下では、無線通信サービスＳ１で使用される電波を電波ＲＦ１とし、無線通信サービスＳ２で使用される電波を電波ＲＦ２として説明する。
【００２９】
まず、それぞれ異なる２種類の無線通信サービスに係る電波ＲＦ１及びＲＦ２が、同時に無線装置５００Ａに到来してきたとする。
【００３０】
そうすると、電波ＲＦ１及び電波ＲＦ２は、アンテナ部１０１及び２０１に捕捉され、無線部１０２及び２０２に与えられる。
【００３１】
このとき、無線システム１００Ａのアンテナ部１０１も無線システム２００Ａのアンテナ部２０１も共に、電波ＲＦ１及びＲＦ２の両方を捕捉し、受信する。
【００３２】
電波ＲＦ１及びＲＦ２が無線部１０２及び２０２に与えられると、電波ＲＦ１及びＲＦ２のそれぞれは、無線部１０２及び２０２により、中間周波数帯の中間周波数信号ＩＦ１及びＩＦ２にダウンコンバートされ、所定の帯域フィルタにより、中間周波数信号ＩＦ１と中間周波数信号ＩＦ２とに分離され、スイッチ部１０３及び２０３に出力される。
【００３３】
このとき、ＭＡＣ部３００は、無線部１０２及び２０２から受信電波の受信強度（受信レベル）を受け取り、無線部１０２の中間周波数信号ＩＦ１と、無線部２０２の中間周波数信号ＩＦ１との受信強度（受信レベル）を比較し、受信強度（受信レベル）が高い方を選定するように、スイッチ部（ＳＷ）１０３及び２０３にアンテナ選定切替用制御信号を与える。
【００３４】
なお、中間周波数信号ＩＦ２についても同様に、無線部１０２及び無線部２０２からの受信強度の比較により、高い方を選定するようにする。
【００３５】
図１では、ＭＡＣ部３００が、中間周波数信号ＩＦ１については無線部２０２からの信号を選定させ、中間周波数信号ＩＦ２については無線部１０２からの信号を選定させた場合を示す。
【００３６】
そして、スイッチ部（ＳＷ）１０３及び２０３におけるスイッチ切替により、中間周波数信号ＩＦ１及びＩＦ２は、ＩＦ／ＢＢ部１０４及び２０４に与えられ、増幅されて所定の復調処理が施されて、それぞれベースバンド信号に変換される。
【００３７】
このようにして、ＣＰＵ部４００において、それぞれの通信サービスを実現するアプリケーションが実行される。
【００３８】
（Ａ−３）第１の実施形態の効果
以上のように、本実施形態によれば、同一周波数帯を使用した複数の無線通信サービスに係る電波（無線信号）を同時に受信することができる無線システム１００Ａ及び２００Ａを備えることにより、それぞれ異なる複数の無線通信サービスの提供を同時に受けることができる。
【００３９】
また、本実施形態によれば、複数の通信サービスに係る無線信号のそれぞれを受信することができる無線部１０２及び２０２の共有化を図り、各無線部１０２及び２０２から出力される信号の受信強度に基づいて高い方を選定するようにしたので、ダイバーシチ効果が得られ、受信した複数の無線通信サービスにおいて不感知帯でのサービス向上効果が得られる。
【００４０】
さらに、本実施形態によれば、それぞれの無線通信サービスに対応した独自の無線部１０２及び２０２、アンテナ部１０１及び２０１を構築した場合と比べて、無線システムの高価格、装置容量の増大を抑えることが可能である。
【００４１】
（Ｂ）第２の実施形態
次に、本発明の無線装置の第２の実施形態を図面を参照して説明する。
【００４２】
第２の実施形態も、第１の実施形態と同様に、同一周波数帯を使用して、それぞれ異なる２種類の無線通信サービスの提供を受ける無線機に搭載される無線システムに、本発明の無線装置を適用した場合を示す。
【００４３】
（Ｂ−１）第２の実施形態の構成
本実施形態が第１の実施形態と異なる点は、２つの各無線システムの無線部を構成する詳細な構成要件の中で、更に共有化できるものを共有化した点である。これにより、更に装置構築を低コストにすることができる。
【００４４】
図５は、第２の実施形態の無線装置４００Ｂの無線部の詳細な回路構成を示すブロック図である。
【００４５】
図５に示すように、本実施形態の無線装置４００Ｂは、無線部として、２つの無線システム１００Ｂ及び２００Ｂを備える。
【００４６】
また、各無線システム１００Ｂ及び２００Ｂは、アンテナ部１１０及び２１０、帯域フィルタ部１１１及び２１１、ローノイズアンプ（ＬＮＡ）部１１２及び２１２、第１ミキサー部１１３及び２１３、中間周波数信号ＩＦ１を抽出するための抽出用帯域フィルタ部１１４又は中間周波数信号ＩＦ２を抽出するための抽出用帯域フィルタ部２１４、スイッチ部（ＳＷ）１０１及び２０２、第２ミキサー部１１６及び２１６、中間周波数帯増幅器１１７及び２１７、中間周波数帯帯域フィルタ部１１８及び２１８、復調部１１９及び２１９、受信強度検出部（ＲＳＳＩ：Received  Signal  Strength  Indicator）１２０及び２２０、第１ローカル部１２１、固定第２ローカル部１１５又は可変第２ローカル部２１５を有する。
【００４７】
帯域フィルタ部１１１及び２１１は、アンテナ部１１０及び２１０から電波信号を受け取り、所定の中間周波数帯域のみを通過させるものである。
【００４８】
ローノイズアンプ部１１２及び２１２は、帯域フィルタ１１１及び２１１を通過した信号を増幅し、第１ミキサー部１１３及び２１３に与えるものである。
【００４９】
第１ミキサー部１１３及び２１３は、ローノイズアンプ部１１２及び２１２から与えられた信号を、第１ローカル部１２１から与えられた第１ローカル信号とミキシングして、中間周波数信号ＩＦ１及び中間周波数信号ＩＦ２に変換するものである。また、第１ミキサー部１１３及び２１３は、変換した中間周波数信号ＩＦ１及び中間周波数信号ＩＦ２を、抽出用帯域フィルタ１１４と抽出用帯域フィルタ２１４のそれぞれに与えるものである。
【００５０】
このように、第１ローカル部１２１を共有してそれぞれ異なる中間周波数信号ＩＦ１及びＩＦ２に変換することにより、より構成コストを低くすることができる。
【００５１】
抽出用帯域フィルタ部１１４は、中間周波数信号ＩＦ１を抽出するための帯域フィルタであり、本実施形態では、無線システム１００Ｂ内に２個備えるものとする。そして、一方の抽出用帯域フィルタ部１１４は、第１ミキサー部１１３からの出力信号を取り込むものであり、他方の抽出用帯域フィルタ部１１４は、第１ミキサー部２１３からの出力信号を取り込むものである。また、抽出用帯域フィルタ部１１４は、抽出した中間周波数ＩＦ１をスイッチ部（ＳＷ）１０１及びＲＳＳＩ検出部１２０に与えるものである。
【００５２】
抽出用帯域フィルタ部２１４は、中間周波数信号ＩＦ２を抽出するための帯域フィルタであり、本実施形態では、無線システム２００Ｂ内に２個備えるものとする。そして、一方の抽出用帯域フィルタ部２１４は、第１ミキサー部２１３からの出力信号を取り込むものであり、他方の抽出用帯域フィルタ部２１４は、第１ミキサー部１１３からの出力信号を取り込むものである。また、抽出用帯域フィルタ部２１４は、抽出した中間周波数ＩＦ２をスイッチ部（ＳＷ）２０２及びＲＳＳＩ検出部２２０に与えるものである。
【００５３】
ＲＳＳＩ検出部１２０は、抽出用帯域フィルタ部１１４から中間周波数信号ＩＦ１を受け取り、その受信強度を検出し、その検出した受信強度情報をＭＡＣ部３００に与えるものである。
【００５４】
また、ＲＳＳＩ検出部２２０は、抽出用帯域フィルタ部２１４から中間周波数信号ＩＦ２を受け取り、その受信強度を検出し、その検出した受信強度情報をＭＡＣ部３００に与えるものである。
【００５５】
スイッチ部１０１は、ＭＡＣ部３００からのアンテナ選定切替用制御信号に基づいて信号経路を切り替え、２個の抽出用帯域フィルタ部１１４から与えられた中間周波数信号ＩＦ１のいずれかを第２ミキサー部１１６に与えるものである。
【００５６】
また、スイッチ部２０２も、ＭＡＣ部３００からのアンテナ選定切替用制御信号に基づいて信号経路を切り替え、２個の抽出用帯域フィルタ部２１４から与えられた中間周波数信号ＩＦ２のいずれかを第２ミキサー部２１６に与えるものである。
【００５７】
第２ミキサー部１１６は、スイッチ部１０１から受け取った中間周波数信号ＩＦ１を、固定第２ローカル部１１５からの第２ローカル信号とミキシングして、中間周波数帯増幅器１１７に与えるものである。
【００５８】
ここで、固定第２ローカル部１１５は、あらかじめ設定された１チャネルの固定の周波数が設定されている。これにより、１つの通信サービスを途絶えることなく受信することができる。
【００５９】
第２ミキサー部２１６は、スイッチ部２０２から受け取った中間周波数信号ＩＦ２を、可変第２ローカル部２１５からの第２ローカル信号とミキシングして、中間周波数帯増幅器２１７に与えるものである。
【００６０】
ここで、可変第２ローカル２１５は、ＭＡＣ部３００から周波数設定制御信号に基づいて設定された周波数が設定される。これにより、複数の通信サービスに対しても柔軟に受信することができる。
【００６１】
中間周波数帯増幅器１１７及び２１７は、第２ミキサー部１１６及び２１６から受け取った中間周波数信号ＩＦ１及びＩＦ２を増幅して中間周波数帯帯域フィルタ部１１８及び２１８に与えるものである。
【００６２】
中間周波数帯帯域フィルタ部１１８及び２１８は、中間周波数帯増幅器１１７及び２１７から増幅された中間周波数信号ＩＦ１及びＩＦ２を受け取り、中間周波数帯の帯域を通過させるものである。
【００６３】
復調部１１９及び２１９は、中間周波数帯帯域フィルタ部１１８及び２１８を通過してきた信号に所定の復調方式を施し、ベースバンド信号に変換し、変換したベースバンド信号をＭＡＣ部３００に与えるものである。
【００６４】
なお、ＭＡＣ部３００は、第１の実施形態で説明した動作のほかに、可変第２ローカル部２１５に設定する周波数を制御する周波数設定制御信号を可変第２ローカル部２１５に与えるものである。
【００６５】
（Ｂ−２）第２の実施形態の動作
次に、第２の実施形態の無線装置５００Ｂの動作を説明する。
【００６６】
第２の実施形態も、第１の実施形態と同様に、それぞれ異なる２種類の無線通信サービスに係る電波ＲＦ１及びＲＦ２が、同時に無線装置５００Ａに到来してきたとする。
【００６７】
そうすると、電波ＲＦ１及びＲＦ２は、ローノイズアンプ１１２及び２１２により増幅された後、第１ミキサー部１１３及び２１３により、第１ローカル信号とミキシングされ、第１ＩＦ周波数帯の中間周波数信号ＩＦ１と中間周波数信号ＩＦ２に変換される。
【００６８】
このとき、使用する第１ローカル信号は無線システム１００Ｂと無線システム２００Ｂで共通した周波数を使用する。
【００６９】
第１ミキサー部１１３及び２１３により変換された中間周波数信号ＩＦ１及びＩＦ２のそれぞれは、抽出用帯域フィルタ部１１４及び２１４に与えられ、それぞれの帯域フィルタ１１４及び２１４により、それぞれ該当する中間周波数帯域信号ＩＦ１及びＩＦ２のみが抽出される。
【００７０】
これにより、各無線システム１００Ｂ及び２００Ｂ毎に受信した各通信サービスに対応した中間周波数信号を出力することができる。
【００７１】
そして、各抽出用帯域フィルタ部１１４及び２１４により出力された中間周波数信号ＩＦ１及びＩＦ２は、スイッチ部１０１及び２０２に与えられる。
【００７２】
このとき、スイッチ部１０１及び２０２は、第１の実施形態と同様に、ＭＡＣ部３００からのアンテナ選定切替用制御信号に基づいて信号経路を切り替える。また、ＭＡＣ部３００も、第１の実施形態と同様に、ＲＳＳＩ検出部１２０及び２２０からの受信強度に基づいて受信強度が高い方を選定するように制御する。これにより、スイッチ部１０１及び２０２から出力されることでダイバーシチ効果が得られる。
【００７３】
スイッチ部１０１及び２０２により選定された中間周波数信号ＩＦ１及びＩＦ２は、第２ミキサー部１１６及び２１６に与えられ、第２ミキサー部１１６及び２１６により、第２ローカル信号とミキシングされる。
【００７４】
このとき、無線システム２００Ｂの可変第２ローカル部２１５は、複数の通信サービスを受信可能になるよう、ＭＡＣ部３００からの周波数設定制御信号に従った周波数の第２ローカル信号に設定可能であり、また、無線システム１００Ｂの固定第２ローカル部１１５は、１チャネル固定の周波数をあらかじめ設定しておく。これにより、１つの通信サービスを途絶えることなく受信可能とすることができる。
【００７５】
第２ミキサー部１１６及び２１６によりミキシングされた信号は、中間周波数帯増幅器１１７及び２１７により増幅され、中間周波数帯帯域フィルタ部１１８及び２１８を通過し、復調部１１９及び２１９により所定の復調処理が施され、ベースバンド信号に変換される。
【００７６】
（Ｂ−３）第２の実施形態の効果
以上のように、第２の実施形態によれば、第１の実施形態と同様に効果を得ることができる。
【００７７】
また、第２の実施形態によれば、無線部を構成する構成要件のうち第１ローカル部を共通化することとしたので、更に無線装置の低コストが図れる。
【００７８】
さらに、無線システム１００Ｂでは、第１ローカル及び第２ローカルともにあらかじめ選定された周波数のみで動作させるようにしたので、各通信サービスごとにチャネル周波数に切り替えることが不要であるため、通信サービスを寸断することなく、リアルタイムにサービスを受けることが可能である。
【００７９】
（Ｃ）他の実施形態
上述した第１及び第２の実施形態で説明した無線装置５００Ａ及び５００Ｂは、例えば、５．８ＧＨｚ帯の周波数帯を使用して提供する複数の無線通信サービスを受けることができる無線機に搭載することができる。
【００８０】
この無線通信サービスとして、例えば、安全支援走行を目的とする車々間通信システムや、例えばＥＴＣなどのアプリケーションを持つＤＳＲＣ路車間通信システム等のサービスを同時に受信することができる。
【００８１】
また、本発明は、それぞれ異なる複数の通信サービスが同一周波数帯を使用しているものであれば、周波数帯域は特に限定されない。また、無線通信を通じて提供するサービスの種類も特に限定されず、広く適用することができる。
【００８２】
上述した第１及び第２の実施形態では、２種類の通信サービスの提供を受ける場合を例に挙げて説明したが、提供を受ける通信サービスの数は３個以上でもよう。
【００８３】
すなわち、本発明の無線装置が３個以上の無線システムを備えることで、同一周波数帯の３個以上のチャネルを使用した各無線信号も同時に受信することができる。勿論、そのエリアによっては、１個の通信サービスを受けることができる。
【図面の簡単な説明】
【００８４】
【図１】第１の実施形態の無線装置の内部構成を示すブロック図である。
【図２】従来の無線装置の構成例を示すブロック図である。
【図３】従来の無線装置の構成例を示すブロック図である。
【図４】従来の無線装置における周波数選定プロセス処理を示すフローチャートである。
【図５】第２の実施形態の無線装置の内部構成を示すブロック図である。
【符号の説明】
【００８５】
１００Ａ及びＢ…無線システム、２００Ａ及びＢ…無線システム、１０２及び２０２…無線部、１０３及び２０３…スイッチ部（ＳＷ）、１０４及び２０４…ＩＦ／ＢＢ部、３００…ＭＡＣ部、４００…ＣＰＵ部、５００Ａ及び５００Ｂ…無線装置。
【図１】
2007104043.tif 000003
【図２】
2007104043.tif 000004
【図３】
2007104043.tif 000005
【図４】
2007104043.tif 000006
【図５】
2007104043.tif 000007